【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
一つ以上のボディセンサネットワークを含む無線医用センサネットワーク内にボディセンサネットワークを形成する、互いに通信し患者の身体に取り付けられる一つ以上の無線医用センサと、前記無線医用センサ間で安全な通信を可能にするための前記無線医用センサの各々へ組み込まれるλ安全キーイング手段と、前記ボディセンサネットワーク内の一つ以上の無線医用センサと通信する、前記ボディセンサネットワーク内の個人セキュリティマネージャと拡張された個人セキュリティマネージャを形成するため前記個人セキュリティマネージャへ接続されるヘルスケアカードとを有し、前記個人セキュリティマネージャは、バックエンドサービスとの安全な通信を供給し、前記λ安全キーイング手段により前記ボディセンサネットワーク内の安全な関係を供給し、前記λ安全なキーイング手段は、せいぜいλのセキュリティ侵害された無線医用センサの連合が、何れの２つのセキュリティ侵害されていない無線医用センサ間のペアをなすキーを隠し、λ＋１の無線医用センサがセキュリティ侵害されるまで、ノードのセキュリティ侵害に対する保護を供給し、前記ヘルスケアカードは、バックエンドヘルスケアサービスとの安全な通信のためのセキュリティ情報及び識別情報を含み、前記個人セキュリティマネージャは、ローカル信用センターにより発行される証明書を含み、当該システムは、監査、アクセスコントロール、プライバシー保護、及び／又は前記ヘルスケアカードとの前記個人セキュリティマネージャの相互認証のためのセキュリティプロトコルを実行する、安全なエンドツーエンド患者ヘルスケアシステム。
【請求項２】
前記無線医用センサ及び前記個人セキュリティマネージャが、ボディ結合通信により通信する、請求項１に記載の安全なエンドツーエンド患者ヘルスケアシステム。
【請求項３】
前記ボディセンサネットワークからの情報が患者のアイデンティティにリンクされ、前記患者のヘルスケアカード及び前記個人セキュリティマネージャが、多数の無線医用センサネットワークセキュリティドメインを普及しているヘルスケアシステムへ接続するために、拡張された個人セキュリティマネージャを形成し、前記拡張された個人セキュリティマネージャが、前記ローカル信用センターにより発行される前記証明書を格納し、中央のヘルスケアサービスにより発行されるエンドツーエンドセキュリティ通信を確立するために前記λ安全なキーイング手段を格納し、前記拡張された個人セキュリティマネージャ及び前記ヘルスケアカードの相互認証、エンドツーエンドセキュリティ、監査、並びに／又は状況アクセスコントロール及びプライバシー方針の管理を可能にするための前記セキュリティプロトコルを実行する、請求項１又は２に記載の安全なエンドツーエンド患者ヘルスケアシステム。
【請求項４】
前記拡張された個人セキュリティマネージャは、患者が前記医用センサネットワークに加わるとき、患者のヘルスケアカード及び患者の個人セキュリティマネージャを認証する、請求項３に記載の安全なエンドツーエンド患者ヘルスケアシステム。
【請求項５】
前記個人セキュリティマネージャは、前記ヘルスケアカードを受け取るスマートカードリーダーを有し、前記ヘルスケアカードは、個人識別情報、医療情報、セキュリティマテリアル及び／又はセキュリティ方針を含む、請求項３に記載の安全なエンドツーエンド患者ヘルスケアシステム。
【請求項６】
前記個人セキュリティマネージャは、ユーザ名、識別子、セキュリティマテリアル、医療記録又は種々異なる医用センサネットワークのためのアクセス制御方針を含む、請求項５に記載の安全なエンドツーエンド患者ヘルスケアシステム。
【請求項７】
前記拡張された個人セキュリティマネージャは、グローバルユーザの識別、患者エリアネットワーク、及び個人電子ヘルスケア情報を含み、前記個人電子ヘルスケア情報は前記患者エリアネットワークから来る、請求項５に記載の安全なエンドツーエンド患者ヘルスケアシステム。
【請求項８】
前記ヘルスケアカードに格納されるセキュリティ情報が、ユーザを識別して認証し、前記患者のボディセンサネットワークと中央の又はバックエンドヘルスケアサービスとの間の橋渡しとして働く、請求項３に記載の安全なエンドツーエンド患者ヘルスケアシステム。
【請求項９】
前記拡張された個人セキュリティマネージャは、前記ヘルスケアカードのための追加のスマートカードスロットを備える移動電話である、請求項３に記載の安全なエンドツーエンド患者ヘルスケアシステム。
【請求項１０】
ボディセンサネットワークと関連する前記無線医用センサにより形成される自律的安全ドメインを更に有し、前記拡張された個人セキュリティマネージャは、前記ボディセンサネットワークの信用センターであり、前記ボディセンサネットワークのメンバーの安全な連合又は取り消しを制御する、請求項３に記載の安全なエンドツーエンド患者ヘルスケアシステム。
【請求項１１】
前記拡張された個人セキュリティマネージャ及び前記無線医用センサは、医用センサネットワークの信用センターとの接続が失われる場合であっても、前記患者のヘルスケアカードに、前記ボディセンサネットワークで実施される動作及び交換される情報を安全に格納する、請求項１０に記載の安全なエンドツーエンド患者ヘルスケアシステム。
【請求項１２】
前記個人セキュリティマネージャに、ローカル医用センサネットワーク信用センターにより発行される証明書を格納するステップと、個人セキュリティマネージャと組み合わせたヘルスケアカードの使用により拡張された個人セキュリティマネージャを形成するステップと、無線医用センサと中央のヘルスケアサービスとの間のエンドツーエンド安全な通信を確立するために前記ヘルスカードの使用によりセキュリティ情報及び識別情報を供給するステップと、前記個人セキュリティマネージャ及びヘルスケアカードの相互認証、エンドツーエンドセキュリティ、監査、並びに／又は状況アクセスコントロール及びプライバシー方針の管理を可能にするためのセキュリティプロトコルを実行するステップとを有する、請求項１に記載の安全なエンドツーエンド患者ヘルスケアシステムにおける安全なエンドツーエンド患者ヘルスケア通信のための方法。
【請求項１３】
個人セキュリティマネージャが、ボディセンサネットワーク内にあり、前記ボディセンサネットワーク内の一つ以上の無線医用センサと通信し、前記個人セキュリティマネージャは、バックエンドサービスとの安全な通信を提供し、λ安全なキーイング手段により前記ボディセンサネットワーク内の安全な関係を提供し、前記一つ以上の無線医用センサは患者の身体に取り付けられ、一つ以上のボディセンサネットワークを含む無線医用センサネットワーク内の前記ボディセンサネットワークを形成するために互いと通信し、λ安全なキーイング手段は、前記無線医用センサ間の安全な通信を可能にするため前記無線医用センサの各々に組み込まれ、前記λ安全なキーイング手段は、せいぜいλのセキュリティ侵害された無線医用センサの連合が、何れの２つのセキュリティ侵害されていない無線医用センサ間のペアをなすキーを隠し、λ＋１の無線医用センサがセキュリティ侵害されるまで、ノードのセキュリティ侵害に対する保護を供給し、ヘルスケアカードが、拡張された個人セキュリティマネージャを形成するため前記個人セキュリティマネージャへ接続され、前記ヘルスケアカードは、バックエンドヘルスケアサービスとの安全な通信のためのセキュリティ情報及び識別情報を含み、前記個人セキュリティマネージャは、ローカル信用センターにより発行される証明書を含み、当該システムは、監査、アクセスコントロール、プライバシー保護、及び／又は前記ヘルスケアカードとの前記個人セキュリティマネージャの相互認証のためのセキュリティプロトコルを実行する、安全なエンドツーエンド患者ヘルスケアシステムのための個人セキュリティマネージャ。